(57)【要約】【課題】記録媒体に記録された情報の劣化を防止すること。【解決手段】磁気ディスク装置１００は、磁気ディスク１８０に対する情報の記録または再生時に、判定処理部１２０ｃが、記録回数、エラーレイト、磁界強度を基にして、磁気ディスク１８０に記録された情報を記録し直すか否かを判定し、判定処理部１２０ｃが情報を記録し直すと判定した場合に、リードライト処理部１２０ａが、記録し直しの対象となる記録領域の情報を記録し直す。【選択図】        図１
2007242087.tif 000002
【特許請求の範囲】
【請求項１】
記録媒体に対する情報の記録または再生を行う情報記録再生装置であって、
前記記録媒体に対する情報の記録または再生に係る状況の情報である状況情報を取得し、当該状況情報に基づいて、前記記録媒体に記録された情報を記録し直すか否かを判定する判定手段と、
前記判定手段によって情報を記録し直すと判定された場合に、前記状況情報に対応する記録媒体上の記録領域に隣接する記録領域の情報を記録し直す記録手段と、
を備えたことを特徴とする情報記録再生装置。
【請求項２】
前記判定手段は、前記記録媒体に情報が記録された場合に、情報の記録された記録媒体の記録領域に係る記録回数を前記状況情報として取得し、前記記録回数が閾値以上になった場合に、前記記録媒体に記録された情報を記録し直すと判定することを特徴とする請求項１に記載の情報記録再生装置。
【請求項３】
前記判定手段は、前記記録媒体に記録された情報が再生される場合に、情報の再生領域に係るエラーレイトを前記状況情報として取得し、当該エラーレイトが閾値以上となった場合に、前記記録媒体に記録された情報を記録し直すと判定することを特徴とする請求項１に記載の情報記録再生装置。
【請求項４】
前記判定手段は、前記記録媒体に記録された情報が再生される場合に、当該情報の再生領域に係る磁界強度を前記状況情報として取得し、当該磁界強度が閾値より小さい場合に、前記記録媒体に記録された情報を記録し直すと判定することを特徴とする請求項１に記載の情報記録再生装置。
【発明の詳細な説明】
【技術分野】
【０００１】
この発明は、記録媒体に対する情報の記録または再生を行う情報記録再生装置に関し、特に記録媒体に記録された情報の劣化を防止することができる情報記録再生装置に関するものである。
【背景技術】
【０００２】
近年、通信のブロードバンド化やデジタル家電製品の普及に伴って、ハードディスクドライブ（以下、ＨＤＤと表記する）に対する大容量化の期待がますます増加している。ＨＤＤの記録容量を増加させる手法は様々なものが考えられるが、磁気ディスクを格納する筐体の大きさにかかる制限などから、磁気ディスクの記録密度を高める手法が有効である。そして、この記録密度を高めた磁気ディスクに情報を精度よく記録する方式として、一般的に、垂直磁気記録方式が利用されている。
【０００３】
しかし、この垂直磁気記録方式では、磁気ディスクにかかる記録回数の増加に伴って、記録領域周辺のトラックに記録された情報（例えば、磁気ヘッドの位置制御に利用されるサーボ情報やユーザ情報など）が劣化してしまい、最終的に磁気ディスクに記録された情報を再生することができなくなるという問題があった。
【０００４】
そこで、非特許文献１では、磁気ディスク側に軟磁性裏打ち層（ＳＵＬ＜Soft UnderLayer＞）と呼ばれる磁性層を設け、磁気ヘッドとＳＵＬ層との磁気的な相互作用による大きな磁界を発生させ、情報を磁気ディスクに記録することによって、磁気ディスクに記録された情報の劣化を防ぐ技術が公開されている。
【０００５】
【非特許文献１】渦巻  拓也、”垂直磁気記録による高記録密度化”、[online]、[平成１７年９月１２日検索]、インターネット＜ＵＲＬ： HYPERLINK "http://magazine.fujitsu.com/vol56-4/pager04.pdf" http://magazine.fujitsu.com/vol56-4/pager04.pdf＞
【発明の開示】
【発明が解決しようとする課題】
【０００６】
しかしながら、上述した従来技術では、磁気ディスクおよび磁気ヘッドに対する大幅な改善が必要となる（例えば、非特許文献１では、磁気ディスクにＳＵＬ層を設ける必要がある）ため、ＨＤＤの製造コストが膨大なものとなってしまうという問題があった。
【０００７】
すなわち、ＨＤＤの磁気ディスクおよび磁気ヘッドなどに対する大幅な改善を行わなくとも、記録回数増加などに伴う磁気ディスクに記録された情報の劣化を防止することが極めて重要な課題となっている。
【０００８】
この発明は、上述した従来技術による問題点を解消するためになされたものであり、ＨＤＤの磁気ディスクおよび磁気ヘッドなどに対する大幅な改善を行わなくとも、記録回数増加などに伴う磁気ディスクに記録された情報の劣化を防止可能とする情報記録再生装置を提供することを目的とする。
【課題を解決するための手段】
【０００９】
上述した課題を解決し、目的を達成するため、請求項１にかかる情報記録再生装置は、記録媒体に対する情報の記録または再生を行う情報記録再生装置であって、前記記録媒体に対する情報の記録または再生に係る状況の情報である状況情報を取得し、当該状況情報に基づいて、前記記録媒体に記録された情報を記録し直すか否かを判定する判定手段と、前記判定手段によって情報を記録し直すと判定された場合に、前記記録媒体に記録された情報を記録し直す記録手段と、を備えたことを特徴とする。
【００１０】
また、請求項２の発明にかかる情報記録再生装置は、請求項１の発明において、前記判定手段は、前記記録媒体に情報が記録された場合に、情報の記録された記録媒体の記録領域に係る記録回数を前記状況情報として取得し、前記記録回数が閾値以上になった場合に、前記記録媒体に記録された情報を記録し直すと判定することを特徴とする。
【００１１】
また、請求項３の発明にかかる情報記録再生装置は、請求項１の発明において、前記判定手段は、前記記録媒体に記録された情報が再生される場合に、情報の再生領域に係るエラーレイトを前記状況情報として取得し、当該エラーレイトが閾値以上となった場合に、前記記録媒体に記録された情報を記録し直すと判定することを特徴とする。
【００１２】
また、請求項４の発明にかかる情報記録再生装置は、請求項１の発明において、前記判定手段は、前記記録媒体に記録された情報が再生される場合に、当該情報の再生領域に係る磁界強度を前記状況情報として取得し、当該磁界強度が閾値より小さい場合に、前記記録媒体に記録された情報を記録し直すと判定することを特徴とする。
【発明の効果】
【００１３】
請求項１の発明によれば、情報記録再生装置は、記録媒体に対する情報の記録または再生に係る状況の情報である状況情報を取得し、取得した状況情報に基づいて、状況情報に対応する記録媒体上の記録領域に隣接する記録領域の情報を記録し直すか否かを判定し、判定し直すと判定した場合に、記録媒体に記録された情報を記録し直すので、記録媒体上の劣化しやすい情報を効率よく防止することができる。
【００１４】
請求項２の発明によれば、情報記録再生装置は、記録媒体に情報が記録された場合に、情報の記録された記録媒体の記録領域に係る記録回数を状況情報として取得し、記録回数が閾値以上になった場合に、記録媒体に記録された情報を記録し直すと判定するので、記録媒体に記録された情報の記録回数に伴う劣化を防止することができる。
【００１５】
請求項３の発明によれば、情報記録再生装置は、記録媒体に記録された情報が再生される場合に、情報の再生領域に係るエラーレイトを状況情報として取得し、エラーレイトが閾値以上となった場合に、記録媒体に記録された情報を記録し直すと判定するので、記録媒体に記録された情報の劣化を防止することができる。
【００１６】
請求項４の発明によれば、情報記録再生装置は、記録媒体に記録された情報が再生される場合に、情報の再生領域に係る磁界強度を状況情報として取得し、磁界強度が閾値より小さい場合に、記録媒体に記録された情報を記録し直すと判定するので、記録媒体に記録された情報の劣化を防止することができる。
【発明を実施するための最良の形態】
【００１７】
以下に添付図面を参照して、この発明に係る情報記録再生装置の好適な実施の形態を詳細に説明する。
【実施例】
【００１８】
まず、本実施例にかかる磁気ディスク装置（本実施例では、情報記録再生装置の一例として、磁気ディスク装置を用いて説明する）の特徴について説明する。本実施例にかかる磁気ディスク装置は、磁気ディスクに対する情報の記録または再生にかかる状況の情報、すなわち、磁気ディスクの記録領域に対する情報の記録回数、エラーレイト、磁界強度の情報（以下、単に状況情報と表記する）を取得する。
【００１９】
そして、磁気ディスク装置は、取得した状況情報を基にして、磁気ディスクに記録された情報を記録し直すか否かを判定し、情報を記録し直すと判定した場合に、磁気ディスクに記録された情報を記録し直す。
【００２０】
具体的に、磁気ディスク装置は、記録媒体に対する情報の記録回数が閾値以上になった場合に、記録回数が閾値以上になった記録領域に隣接する記録領域の情報を記録し直す。また、磁気ディスク装置は、エラーレイトが閾値以上になった場合に、エラーレイトが閾値以上になった記録領域およびこの記録領域に隣接する記録領域の情報を記録し直す。さらに、磁気ディスク装置は、記録媒体に記録された情報の磁界強度が閾値よりも小さくなった場合に、磁界強度が閾値よりも小さくなった記録領域およびこの記録領域に隣接する記録領域の情報を記録し直す。
【００２１】
このように、本実施例にかかる磁気ディスク装置は、状況情報に基づいて、磁気ディスクに記録された情報を記録し直すので、磁気ディスクに記録された情報の劣化を防ぐことができると共に、磁気ディスクに記録された情報の経年劣化にかかる問題も解決することができる。また、本実施例にかかる磁気ディスク装置は、磁気ディスクおよび磁気ヘッドの大幅な改善を必要としないため、磁気ディスク装置の製造コストを大幅に削減することができる。
【００２２】
つぎに、本実施例にかかる磁気ディスク装置の構成について説明する。図１は、本実施例にかかる磁気ディスク装置の構成を示す機能ブロック図である。同図に示すように、この磁気ディスク装置１００は、インターフェース部１１０、制御部１２０、記憶部１３０、モータドライバ部１４０、スピンドルモータ１５０、ボイスコイルモータ１６０、ヘッド１７０、磁気ディスク１８０を備える。なお、図１の例では省略しているが、この磁気ディスク装置１００は、磁気ディスク装置１００に対して情報の記録または再生の要求を行うコンピュータに接続されている。
【００２３】
インターフェース部１１０は、所定のプロトコルを利用して、磁気ディスク装置１００に接続されたコンピュータとデータ通信を実行する処理部である。制御部１２０は、コンピュータからデータの記録要求または再生要求を取得した場合に、モータドライバ部１４０およびヘッド１７０を制御して、磁気ディスク１８０に対する情報の記録または再生を実行する処理部である。
【００２４】
磁気ディスク１８０は、樹脂製の薄い円盤（ディスク）に磁性体を塗った記録媒体である。この磁気ディスク１８０に情報の記録を行う場合には、磁気ディスク１８０の情報を記録する記録領域に、ヘッド１７０からの磁界を照射して、磁気ディスク１８０の磁性体の磁化状態を変化させることによって、情報を記録する。また、磁気ディスク１８０から情報の再生を行う場合には、再生対象となる磁気ディスク１８０上の記録領域にヘッド１７０を移動させ、磁気ディスク１８０の磁性体の磁化状態を読み取り、情報を再生する。
【００２５】
モータドライバ部１４０は、制御部１２０から入力される制御信号に基づいて、スピンドルモータ１５０およびボイスコイルモータ１６０を制御する処理部である。ここで、スピンドルモータ１５０は、磁気ディスク１８０を回転させるモータであり、ボイスコイルモータ１６０は、アームに設置されたヘッド１７０を移動させるためのモータである。
【００２６】
制御部１２０の説明に戻ると、制御部１２０は、リードライト処理部１２０ａ、ドライバ制御部１２０ｂ、判定処理部１２０ｃを有する。リードライト処理部１２０ａは、ドライバ制御部１２０ｂおよびヘッド１７０を制御して、磁気ディスク１８０に対する情報の記録・再生を行う処理部である。以下の説明において、リードライト処理部１２０ａが、磁気ディスク１８０に情報を記録する場合と、磁気ディスク１８０に記録された情報を再生する場合とにわけて説明する。
【００２７】
リードライト処理部１２０ａが、磁気ディスク１８０に情報を記録する場合、すなわち、コンピュータから、磁気ディスク１８０に記録する情報を取得した場合には、リードライト処理部１８０は、情報を記録する磁気ディスク１８０上のアドレスを特定し、特定したアドレスの情報をドライバ制御部１２０ｂおよび判定処理部１２０ｃに渡す。そして、リードライト処理部１２０ａは、ヘッド１７０を制御して、磁気ディスク１８０に情報を記録する。
【００２８】
ドライバ制御部１２０ｂは、リードライト処理部１２０ａからアドレス情報を取得し、アドレス情報に対応する記録領域にヘッド１７０が移動するように、モータドライバ１４０に制御信号を出力する処理部である。
【００２９】
判定処理部１２０ｃは、リードライト処理部１２０ａからアドレス情報などを取得（磁気ディスク１８０に記録された情報の再生時には、エラーレイトおよび磁界強度の情報を取得）し、取得した情報を基にして、磁気ディスク１８０に記録された情報を記録し直すか否かを判定する処理部である。
【００３０】
判定処理部１２０ｃは、リードライト処理部１２０ａからアドレス情報を取得した場合には、取得したアドレス情報と記憶部１３０に記録された記録回数管理テーブル１３０ａを利用して、磁気ディスク１８０に記録された情報を記録し直すか否かを判定し、情報を記録し直すと判定した場合には、記録し直し対象となる磁気ディスク１８０上のアドレス情報をリードライト処理部１２０ａに渡す。
【００３１】
図２は、記録回数管理テーブルのデータ構造の一例を示す図である。同図に示すように、この記録回数管理テーブル１３０ａは、記録アドレス、記録回数、モニタ領域アドレスを有する。ここで、記録アドレスは、リードライト処理部１２０ａから取得したアドレス情報と対応付けるための情報であり、記録回数は記録アドレスに対応する記録領域に情報が記録された回数を示す情報であり、モニタ領域アドレスは、記録アドレスに対応する記録領域に隣接する記録領域のアドレスを示す情報である。
【００３２】
具体的に、判定処理部１２０ｃは、リードライト処理部１２０ａからアドレス情報「１００００」を取得した場合には、図２に示す記録回数管理テーブル１３０ａの記録アドレス「１０００１」の記録回数をインクリメントする（「２５００」を「２５０１」に変更する）。
【００３３】
そして、判定処理部１２０ｃは、記録回数が閾値以上になったか否かを判定し、記録回数が閾値以上になったと判定した場合には、記録アドレスに対応するモニタ領域アドレスのアドレス情報（以下、モニタアドレス情報と表記する）をリードライト処理部１２０ａに渡す。例えば、閾値が２５０１である場合には、上述した記録アドレス「１００００」にかかる記録回数が閾値以上になるので、判定処理部１２０ｃは、モニタアドレス情報「２００００〜２１０００」をリードライト処理部１２０ａに渡すことになる。
【００３４】
なお、判定処理部１２０ｃは、記録回数が閾値以上になったと判定し、モニタアドレス情報をリードライト処理部１２０ａに渡した場合には、対応する記録回数をリセット（上述した記録アドレス「１００００」の例では、記録回数「２５０１」を「０」に変更する）する。
【００３５】
リードライト処理部１２０ａは、判定処理部１２０ｃからモニタアドレス情報を取得した場合には、取得したモニタアドレス情報をドライバ制御部１２０ｂに渡し、ヘッド１７０を制御して、モニタアドレス情報に対応する記録領域の情報を読み取り、読み取った情報を一時退避情報１３０ｃとして記憶部１３０に一旦記憶させる。そして、リードライト処理部１２０ａは、記憶部１３０に一時的に記憶させた一時退避情報１３０ｃを、モニタアドレス情報に対応する磁気ディスク１８０上の記録領域に記録し直す。
【００３６】
続いて、リードライト処理部１２０ａが、磁気ディスク１８０から情報を再生する場合について説明する。リードライト処理部１２０ａが、磁気ディスク１８０の情報を再生する場合、すなわち、コンピュータから、情報の再生要求を取得した場合には、リードライト処理部１２０ａは、再生対象となる記録領域のアドレスを特定し、特定したアドレス情報をドライバ制御部１２０ｂに渡す。
【００３７】
そして、リードライト処理部１２０ａは、ヘッド１７０を制御して、アドレス情報に対応する記録領域に記録された情報を読み取ると共に、情報を読み取った記録領域のエラーレイトおよび磁界強度を検出する。その後、リードライト処理部１２０ａは、読み取った情報をコンピュータに渡し、アドレス情報、エラーレイトおよび磁界強度の情報を判定処理部１２０ｃに渡す。
【００３８】
判定処理部１２０ｃは、リードライト処理部１２０ａからアドレス情報、エラーレイト、磁界強度の情報を取得した場合には、エラーレイトが閾値以上か否かおよび磁界強度が閾値より小さいか否かを判定し、磁気ディスク１８０に記録された情報を記録し直すか否かを判定する。
【００３９】
具体的に、判定処理部１２０ｃは、エラーレイトが閾値以上または磁界強度が閾値より小さい場合に、磁気ディスク１８０に記録された情報を記録し直すと判定する。なお、判定処理部１２０ｃは、情報を記録し直す判定した場合に、記憶部１３０に記録された記録領域管理テーブル１３０ｂを利用して、記録し直す記録領域のアドレス情報（以下、記録し直し領域アドレス情報と表記する）を特定し、特定した記録し直し領域アドレス情報をリードライト処理部１２０ａに渡す。
【００４０】
図３は、記録領域管理テーブルのデータ構造の一例を示す図である。同図に示すように、この記録領域管理テーブル１３０ｂは、再生アドレスおよび記録し直し領域アドレスを有する。ここで、再生アドレスは、リードライト処理部１２０ａから取得したアドレス情報と対応付けるための情報であり、記録し直し領域アドレスは、再生アドレスに対応する記録領域およびこの記録領域に隣接する記録領域のアドレスを示す情報である。
【００４１】
具体的に、判定処理部１２０ｃは、リードライト処理部１２０ａからアドレス情報「１００００」を取得した場合には、図３に示す記録領域管理テーブル１３０ｂの記録し直し領域アドレス情報「１００００〜２１０００」をリードライト処理部１２０ａに渡す。
【００４２】
リードライト処理部１２０ａは、判定処理部１２０ｃから記録し直し領域アドレス情報を取得した場合には、取得した記録し直し領域アドレス情報をドライバ制御部１２０ｂに渡し、ヘッド１７０を制御して、記録し直し領域アドレス情報に対応する記録領域の情報を読み取り、読み取った情報を一時退避情報１３０ｃとして記憶部１３０に一旦記憶させる。そして、リードライト処理部１２０ａは、記憶部１３０に一時的に記憶させた一時退避情報１３０ｃを、記録し直し領域アドレス情報に対応する磁気ディスク１８０上の記録領域に記録し直す。
【００４３】
つぎに、本実施例にかかる磁気ディスク装置１００が情報を磁気ディスク１８０に記録する場合の処理について説明する。図４は、本実施例にかかる磁気ディスク装置が情報を磁気ディスクに記録する場合の処理を示すフローチャートである。
【００４４】
図４に示すように、磁気ディスク装置１００は、リードライト処理部１２０ａが、インターフェース部１１０を介して、記録対象となる情報を取得し（ステップＳ１０１）、ヘッド１７０およびドライバ制御部１２０ｂを利用して磁気ディスク１８０に情報を記録する（ステップＳ１０２）。
【００４５】
そして、判定処理部１２０ｃは、リードライト処理部１２０ａから記録領域のアドレス情報を取得し（ステップＳ１０３）、記録回数が閾値以上となったか否かを記録回数管理テーブル１３０ａおよびアドレス情報を基にして判定し（ステップＳ１０４）、記録回数が閾値以上の場合には（ステップＳ１０５，Ｙｅｓ）、判定処理部１２０ｃはモニタ領域アドレスに記録された情報を読み出してリードライト処理部１２０ａに渡す（ステップＳ１０６）。
【００４６】
リードライト処理部１２０ａは、モニタアドレス情報を取得した場合に、モニタアドレス情報に対応する磁気ディスク１８０上の記録領域の情報を読み取り、読み取った情報（一時退避情報１３０ｃ）を記録部１３０に記憶させ（ステップＳ１０７）、一時退避情報１３０ｃをモニタアドレス情報に対応する記録領域に記録し直し（ステップＳ１０８）、記録回数をリセットする（ステップＳ１０９）。
【００４７】
そして、磁気ディスク装置１００が、処理を継続する場合には（ステップＳ１１０，Ｙｅｓ）、ステップＳ１０１に移行し、処理を継続しない場合には（ステップＳ１１０）、処理を終了する。一方、記録回数が閾値より小さい場合には（ステップＳ１０５，Ｎｏ）、ステップＳ１１０に移行する。
【００４８】
このように、判定処理部１２０ｃが、アドレス情報と記録回数管理テーブル１３０ａを基にして情報を記録し直すか否かを判定し、判定処理部１２０が情報を記録し直すと判定した場合に、リードライト処理部１２０ａがモニタアドレス情報に対応する情報を記録し直すので、記録回数増加に伴う記録領域の情報劣化を防止することができる。
【００４９】
つぎに、本実施例にかかる磁気ディスク装置１００が磁気ディスク１８０から情報を再生する場合の処理について説明する。図５は、本実施例にかかる磁気ディスク装置が磁気ディスクから情報を再生する場合の処理を示すフローチャートである。
【００５０】
図５に示すように、磁気ディスク装置１００は、リードライト処理部１２０ａが、インターフェース部１１０を介して、コンピュータからの情報の再生要求を取得し（ステップＳ２０１）、ヘッド１７０およびドライバ制御部１２０ｂを利用して、磁気ディスク１８０に記録された情報を再生し（ステップＳ２０２）、再生領域のエラーレイトおよび磁界強度を取得する（ステップＳ２０３）。
【００５１】
そして、判定処理部１２０ｃが、エラーレイトおよび磁界強度をリードライト処理部１２０ａから取得し、エラーレイトが閾値以上であるか否かを判定する（ステップＳ２０４）。判定処理部１２０ｃが、エラーレイトが閾値以上であると判定した場合には、記録領域管理テーブル１３０ｂから記録し直し領域アドレスに記録された情報を読み出し（ステップＳ２０５，Ｙｅｓ）、読み出した情報をリードライト処理部１２０ａに渡す（ステップＳ２０６）。
【００５２】
リードライト処理部１２０ａは、判定処理部１２０ｃから記録し直し領域アドレス情報を取得した場合に、記録し直し領域アドレス情報に対応する磁気ディスク１８０上の記録領域の情報を記録部１３０に一時的に記録し（ステップＳ２０７）、記録部１３０に一時的に記録した情報を、記録し直し領域アドレス情報に対応する記録領域に記録し直し（ステップＳ２０８）、ステップＳ２１１に移行する。
【００５３】
一方、エラーレイトが閾値より小さい場合には（ステップＳ２０５，Ｎｏ）、判定処理部１２０ｃが、磁界強度が閾値よりも小さいか否かを判定し（ステップＳ２０９）、磁界強度が閾値よりも小さい場合には（ステップＳ２１０，Ｙｅｓ）、ステップＳ２０６に移行する。
【００５４】
一方、磁界強度が閾値以上である場合には（ステップＳ２１０，Ｎｏ）、磁気ディスク装置１００が処理を終了するか否かを判定し、処理を継続する場合には（ステップＳ２１１，Ｙｅｓ）、ステップＳ２０１に移行し、処理を継続しない場合には（ステップＳ２１１，Ｎｏ）、処理を終了する。
【００５５】
このように、リードライト処理部１２０ａが、磁気ディスク１８０から情報を再生する場合に、エラーレイトおよび磁界強度を取得し、判定処理部１２０ｃが、エラーレイトおよび磁界強度を基にして磁気ディスクの情報を記録し直すか否かを判定する。そして、判定処理部１２０ｃが情報を記録し直すと判定した場合に、リードライト処理部１２０ａが情報を記録し直すので、磁気ディスクの情報が劣化するのを効率よく防止することができる。
【００５６】
上述してきたように、本実施例にかかる磁気ディスク装置１００は、磁気ディスク１８０に対する情報の記録または再生時に、判定処理部１２０ｃが、記録回数、エラーレイト、磁界強度を基にして、磁気ディスク１８０に記録された情報を記録し直すか否かを判定し、判定処理部１２０ｃが情報を記録し直すと判定した場合に、リードライト処理部１２０ａが、記録し直しの対象となる記録領域の情報を記録し直すので、磁気ディスク１８０に発生する情報劣化にかかる問題を解決することができる。また、本実施例にかかる磁気ディスク装置１００は、磁気ディスク１８０およびヘッド１７０に対する特別な改善は必要とならないので、製造コストを大幅に抑えることができる。
【００５７】
なお、図１において示したリードライト処理部１２０ａ、ドライバ制御部１２０ｂ、判定処理部１２０ｃ等を同一基板上に形成することによって、磁気ディスク装置１００の低コスト化および小型化を実現することができる。
【００５８】
（付記１）記録媒体に対する情報の記録または再生を行う情報記録再生装置であって、
前記記録媒体に対する情報の記録または再生に係る状況の情報である状況情報を取得し、当該状況情報に基づいて、前記記録媒体に記録された情報を記録し直すか否かを判定する判定手段と、
前記判定手段によって情報を記録し直すと判定された場合に、前記状況情報に対応する記録媒体上の記録領域に隣接する記録領域の情報を記録し直す記録手段と、
を備えたことを特徴とする情報記録再生装置。
【００５９】
（付記２）前記判定手段は、前記記録媒体に情報が記録された場合に、情報の記録された記録媒体の記録領域に係る記録回数を前記状況情報として取得し、前記記録回数が閾値以上になった場合に、前記記録媒体に記録された情報を記録し直すと判定することを特徴とする付記１に記載の情報記録再生装置。
【００６０】
（付記３）前記判定手段は、前記記録媒体に記録された情報が再生される場合に、情報の再生領域に係るエラーレイトを前記状況情報として取得し、当該エラーレイトが閾値以上となった場合に、前記記録媒体に記録された情報を記録し直すと判定することを特徴とする付記１に記載の情報記録再生装置。
【００６１】
（付記４）前記判定手段は、前記記録媒体に記録された情報が再生される場合に、当該情報の再生領域に係る磁界強度を前記状況情報として取得し、当該磁界強度が閾値より小さい場合に、前記記録媒体に記録された情報を記録し直すと判定することを特徴とする付記１に記載の情報記録再生装置。
【００６２】
（付記５）記録媒体に対する情報の記録または再生を行う情報記録再生方法であって、
前記記録媒体に対する情報の記録または再生に係る状況の情報である状況情報を取得し、当該状況情報に基づいて、前記記録媒体に記録された情報を記録し直すか否かを判定する判定工程と、
前記判定工程によって情報を記録し直すと判定された場合に、前記状況情報に対応する記録媒体上の記録領域に隣接する記録領域の情報を記録し直す記録工程と、
を含んだことを特徴とする情報記録再生方法。
【００６３】
（付記６）前記判定工程は、前記記録媒体に情報が記録された場合に、情報の記録された記録媒体の記録領域に係る記録回数を前記状況情報として取得し、前記記録回数が閾値以上になった場合に、前記記録媒体に記録された情報を記録し直すと判定することを特徴とする付記５に記載の情報記録再生方法。
【００６４】
（付記７）前記判定工程は、前記記録媒体に記録された情報が再生される場合に、情報の再生領域に係るエラーレイトを前記状況情報として取得し、当該エラーレイトが閾値以上となった場合に、前記記録媒体に記録された情報を記録し直すと判定することを特徴とする付記５に記載の情報記録再生方法。
【００６５】
（付記８）前記判定工程は、前記記録媒体に記録された情報が再生される場合に、当該情報の再生領域に係る磁界強度を前記状況情報として取得し、当該磁界強度が閾値より小さい場合に、前記記録媒体に記録された情報を記録し直すと判定することを特徴とする付記５に記載の情報記録再生方法。
【産業上の利用可能性】
【００６６】
以上のように、本発明にかかる情報記録再生装置は、記録媒体に対する情報の記録・再生を行う情報記録再生装置などに対して有用であり、特に、記録媒体に記録された情報の劣化を防止することに適している。
【図面の簡単な説明】
【００６７】
【図１】本実施例にかかる磁気ディスク装置の構成を示す機能ブロック図である。
【図２】記録回数管理テーブルのデータ構造の一例を示す図である。
【図３】記録領域管理テーブルのデータ構造の一例を示す図である。
【図４】本実施例にかかる磁気ディスク装置が情報を磁気ディスクに記録する場合の処理を示すフローチャートである。
【図５】本実施例にかかる磁気ディスク装置が磁気ディスクから情報を再生する場合の処理を示すフローチャートである。
【符号の説明】
【００６８】
１００    磁気ディスク装置
１１０    インターフェース部
１２０    制御部
１２０ａ  リードライト処理部
１２０ｂ  ドライバ制御部
１２０ｃ  判定処理部
１３０    記憶部
１３０ａ  記録回数管理テーブル
１３０ｂ  記録領域管理テーブル
１３０ｃ  一時退避情報
１４０    モータドライバ部
１５０    スピンドルモータ
１６０    ボイスコイルモータ
１７０    ヘッド
１８０    磁気ディスク
【図１】
2007242087.tif 000003
【図２】
2007242087.tif 000004
【図３】
2007242087.tif 000005
【図４】
2007242087.tif 000006
【図５】
2007242087.tif 000007